(57)【要約】      （修正有）【課題】花き業界において取引の自由性と情報公開のできうる花き流通の実現を進めるシステム。【解決手段】インターネット上で市場が立てた商品販売価格を仲卸を介することなく一般買参権を利用し複数の購入者が参加できる取引。一般買参権所有者の取引番号（親番号）に枝番号（複数の購入者割当て）を付け自サーバーに登録し、複数の購入者ＰＣ（パーソナルコンピュータ）とつなぐ。複数の購入者は枝番号を使い自サーバーに入り自サーバーからは親番号にて市場サーバー電子取引サイトに進入し、買物を行う。この時に「購入確定を決める情報」市場サーバーより返信されてくる。この返信情報により、購入商品がどの枝番号使用の購入者か判別できる。このことにより仲卸を介することなく市場取引が複数者でできる。【選択図】図１
2006313509.tif 000002
【特許請求の範囲】
【請求項１】
インターネット等での花き卸売市場が行う花き電子取引において市場取引参加者は市場買参権取得にともなう電子取引参加の取引番号が市場より給付される。この市場取引（Ａ者）が市場より購入した花き商品を花き商品代金に手数料（％）を付加し、複数の者（Ｂ者）に卸販売する際、従来、市場電子取引においては市場が運営するインターネット上での取引サイトへＡ者がパーソナルコンピュータ（ＰＣ）にて取引番号を使い参加し、サイト内で販売されている花き商品の情報をＢ者に通知し、その情報認知のＢ者より購入注文を受けたＡ者は、取引番号を使い購入しその商品をＢ者へ卸販売していた。この特許請求事項は、電子的処理方法としてＡ者の電子取引参加番号を親番号とし、複数のＢ者にその親番号に枝番号を付けＡ者はそれぞれＢ者に給付する。Ａ者がＰＣを使い市場へ電子取引にて商品購入する際、市場サイトは購入手続きとして最後に購入意志に間違いないか「購入確定を決める情報」として購入予定明細を電子上Ａ者のＰＣに送り返してくる。このことを利用し、Ａ者はサーバーを立て、このサーバーに複数のＢ者をＡ者親番号の枝番号にて登録収容し、Ｂ者のＰＣと接続させる。枝番号Ｂ者はＰＣにてサーバー経由で市場サイトへＡ者親番号を使い進入、花き商品情報を取得し、商品を購入する際、確定を決める情報をサーバーが読み取り、複数のいずれかのＢ者が購入したかを判別し、その商品明細を記憶する。
【請求項２】
複数のいずれかのＢ者が購入した商品情報及び明細を記憶したサーバーにＢ者が購入した商品代金に手数料（％）を掛け合わし売上代金とするよう仕組み、Ｂ者に購入終了した時、その商品情報と明細及び売上代金がＢ者のＰＣ画面に表示できるようにする。
【請求項３】
購入後、市場よりＡ者に引き渡された商品には、電子取引上の情報として認識記号番号が付けられているが、その記号番号を判別できるシール等が商品には添付されている。市場は購入者としてＡ者に買上明細情報を供給しているが、この情報の中に商品認識記号番号が含まれている。サーバーにてＡ者はいずれかのＢ者が購入した商品明細と市場よりの買上明細とを照合し、Ｂ者が購入した商品情報と記号番号を記憶し、市場より引き渡された商品に添付されている記号番号とサーバーに記憶されているＢ者の購入商品記号番号とを照合し、Ｂ者が購入した商品として判別する。
【発明の詳細な説明】
【技術分野】
【０００１】  本発明はインターネットにおける花き市場商品の卸販売に関する電子上での処理方法である。【０００２】  従来、花き市場が運営する電子取引はその市場内仲卸に卸売業務が容易にできるように仲卸の買参番号（親番号）を市場電子取引専用サーバーに登録、その親番号に枝番号を設け、仲卸顧客に仲卸が給付。市場の販売する商品の価格に仲卸利益を付加し市場電子取引番号専用サーバーに仲卸顧客が枝番号を用いアクセスし、購入できるように仕組まれている。この発明は市場仲卸でしかできなかった顧客への枝番号給付における電子取引販売方法を一般買参権（仲卸買参権所有者以外）所有者（買参番号所有者）でも行えるようにしたものである。【０００３】  通常、卸売市場にては荷受の市場、小売業者への販売の仲卸とし、業務の棲み分けで成り立ってきた。近年花き市場は小売業者に直接買参（仲卸と同等の販売）ができるように一般買参権を付与した。しかしそれは一定の地域小売業者に限られている。市場が行う電子取引は広範囲の小売業者を直接買参可能にしたものであるにもかかわらず市場内仲卸が既得権益を守ろうとし、市場関係者協議の場では小売業者取引の広範化には至っていない。本発明においては直接買参のできない広範囲にある小売業者にも市場内仲卸と同等な一般買参権者に準じた取引を提供するものである。【０００４】  一般買参権者が買参番号を使い、手数料収益にて卸販売を行なうにおいて、市場より引き渡された商品を電子上、自サーバーと市場サーバーとの交信にて買参権者買上データと自サーバー利用の顧客買上データとを照合し、その判別データを商品仕分けに反映させたものである。【０００５】  花き類の電子取引に関する従来技術の開示は極めて少ないが、一応関連のある技術として下記特許文献に記された技術がある。
【特許文献１】  特開２００４−１４５５８１号
【特許文献２】  特開平９−１９６５４５号
このうち、特許文献１に記載の技術はインターネット等の通信ネットワークを利用するものの、小売店としての花屋が需要者に対して商品としての花卉を送付するシステムであり、後述する本願発明のような小売店に商品を提供するシステムではない。また特許文献２に記載の内容は商品としての花卉の輸送に関する技術が主体となっている。
【発明の開示】
【発明が解決しようとする課題】
【０００６】  インターネットの登場で経済社会はいろいろな障壁が崩れ自由活発で広範囲なものになってきたが、今なお花き業界においては、既存流通を堅持し既得権益を守ろうとする閉鎖的力がある。自由であり、情報公開できる花き流通の実現とその事が一般消費者につながることが本発明の課題である。
【課題を解決するための手段】
【０００７】  本発明は、現在実施されているインターネット上での花き市場電子取引における流通の問題点を解決しようとするものであって、花きの中間流通で最も不透明、不鮮明な仲卸業務を刷新するシステムである。インターネット上で市場が立てた商品販売価格を仲卸を介することなく一般買参権を利用し複数の購入者が参加できる取引。一般買参権所有者の取引番号（親番号）に枝番号（複数の購入者に割当て）を付け自サーバーに登録し、複数の購入者ＰＣ（パーソナルコンピュータ）とつなぐ。複数の購入者は枝番号を使い自サーバーに入り自サーバーからは親番号にて市場サーバーの電子取引サイトに進入し、買物を行う。この時に「購入確定を決める情報」が市場サーバーより返信されてくる。この返信情報により、購入商品がどの枝番号使用の購入者か判別できる。このことにより仲卸を介することなく市場取引が複数者でできる。
【発明の効果】
【０００８】  本発明を行うことにより従来の仲卸販売の形態が様変わりし、また花き市場の価格形成が広く認識され、問われる。やがて誰もが納得するものとなる。花き商品の情報開示が進み、多様な販売が出現する。（例えば市場商品代金に手数料とする販売方法など）【０００９】  仲卸買参権（二次分荷業者買参資格）を所有しようとすれば多額の保証金を市場側へ納めなければならない。また認可手続きにも時間がかかる。一般買参権取得においては比較的容易で申請から取得まで短時間ですむ。このことは誰もが仲卸的二次分荷業者の業務が行えることである。
【発明を実施するための最良の形態】
【００１０】  例えば、全国的にある（県もしくは市）花き小売商団体などが、衰退する一方である地方市場と協同で、もしくは単独で、大都市圏にある商品豊富な巨大市場へ一般買参権で参入し経費をかけずに直接仕入れを行うことにより消費者への販売力強化。サービスの充実等行なえる。このことにより花き消費拡大につながる。また花き流通価格において都市圏と地方が平準化する。【００１１】  花きギフト通信販売会社がその加盟店（全国的ネットワークの）である小売商に対し商品豊富な巨大市場より一般買参権により直接仕入れを起し、販売できる。また全国の巨大市場を市場電子取引システムに頼らず、独自のシステムでネットワーク化することができる。
【図面の簡単な説明】
【００１２】
【図１】  本発明の中心となる枝番号給付システム
【図２】  枝番号給付システムに付帯する購入商品判別仕分けシステム
【符号の説明】
【００１３】  １  顧客及び顧客に給付した枝番号で買参するためのパーソナルコンピュータ
２  枝番号給付システムを運行する自サーバー
３  大都市巨大花き市場電子取引サーバー
４  自サーバーに付属したパーソナルコンピュータ
５  納品伝票発行プリンター
６  仕分用スキャナー
７  スキャナー用シールプリンター
８  顧客購入商品判別シール
【図１】
2006313509.tif 000003
【図２】
2006313509.tif 000004